(57)【特許請求の範囲】
【請求項１】
室内の空気を吸い込む吸気部と、
排気ダクトへの排気の通路となる排気部と、
を備えるレンジフードに取り付けられる逆流防止ダンパーであって、
前記排気部への取り付け部と、
前記排気ダクトへの排気の開閉を行う開閉部と、を備え、
前記開閉部が前記排気部に対して、周方向に自在に位置調整できるように構成される位置調整部を備えることを特徴とする逆流防止ダンパー。
【請求項２】
前記位置調整部の外側に、前記開閉部の開閉方向を示す表示部があることを特徴とする請求項１記載の逆流防止ダンパー。
【請求項３】
請求項１または２に記載の逆流防止ダンパーを、レンジフードの排気部に備えることを特徴とするレンジフード。
【発明の詳細な説明】
【技術分野】
【０００１】
本発明は、逆流防止ダンパーおよびレンジフードに関する発明である。 
【背景技術】
【０００２】
従来の逆流防止ダンパーは、レンジフードの排気口にあたる部分に備えられている。
この排気口に取り付けられた逆流防止ダンパーによりレンジフード未運転時における、排気ダクトから空気が室内に逆流するのを防いだり、排気ダクトからの虫の侵入防止や外風の逆流防止などの効果が期待出来るため非常に有用な構造であり、現存するほとんどのレンジフードに採用されている構造である。
【０００３】
ここで特許文献１の実施例に示すように、レンジフードへ逆流防止ダンパーを取り付ける際には、逆流防止ダンパーのフラップに相当するダンパの開き方向を逆流防止ダンパーの下流側に接続されている排気ダクトの最初の曲がり後の管路方向と同一方向へ合わせて設置されていた。
こうすることで、逆流防止ダンパーのフラップが室内の排気の抵抗となってしまい、風量が落ちてしまったり、異音が出るなどの不具合を防止できていた。
【０００４】
ところが、ここで逆流防止ダンパーの取り付け方法について次の課題を見つけた。
特許文献１に示す、従来のレンジフードに取り付けられる逆流防止用ダンパーの取り付け方法はレンジフード本体や、Ｌ型ダクトに設けられた四角形状の開口部分に、排気口をねじ固定および引っ掛けられる構造であるため、フラップ６の開き方向は４方向に限られている。具体的には四角形状の開口部分であるレンジフードの排気口と逆流防止ダンパーの取り付けは、排気口および逆流防止ダンパー接続部がともに四角形状であるために、その辺どうしが互いに合致した取り付け方に限定されるため、フラップ６の開き方向が０°、９０°、１８０°、２７０°と言う４方向の取り付け角度に限定される。それにともない逆流防止用ダンパーのフラップの開き方向もその取り付け方向に応じ４方向に限られてしまっていた。
【０００５】
そのため、レンジフードと排気ダクトの接続時、逆流防止ダンパーのフラップの開き方向と逆流防止ダンパーよりも下流側に配置される排気ダクトの最初の曲がり後の管路方向が、フラップの開き方向で実施可能な上記４方向のどれにも合致しない状態になってしまった場合、逆流防止ダンパーのフラップの開き方向を最適な向きに合わせる事が出来ず、逆流防止ダンパーよりも下流の排気ダクトの最初の曲がり後の管路方向に向かって開くべき逆流防止ダンパーに備えられているフラップが排気ダクトの最初の曲がり後の管路方向に逆らっている、またはずれている場合があった。
そのときの不具合として、室内の排気の抵抗となってしまい、風量が落ちてしまったり、異音が出るなどのレンジフードとしての使い勝手が悪くなるばかりか、レンジフードとしての機能が十分に発揮できないことが初めて分かった。
【先行技術文献】
【特許文献】
【０００６】
【特許文献１】特開平１０−２０５８４６
【発明の概要】
【発明が解決しようとする課題】
【０００７】
逆流防止ダンパーのフラップの設置により、逆流防止ダンパーよりも下流側に位置する排気ダクトの最初の曲がり後の管路方向に向かって開くべき逆流防止ダンパーに備えられているフラップの開き方向が、排気ダクトの最初の曲がり後の管路方向に対応できずに、室内の排気の抵抗となってしまい、風量が落ちてしまったり、異音が出るなどのレンジフードとしての使い勝手が悪くなるばかりか、レンジフードとしての機能が発揮できないという課題があった。
【課題を解決するための手段】
【０００８】
上記目的を達成するため本発明によれば、室内の空気を吸い込む吸気部と、
排気ダクトへの排気の通路となる排気部と、
を備えるレンジフードに取り付けられる逆流防止ダンパーであって、
前記排気部への取り付け部と、
前記排気ダクトへの排気の開閉を行う開閉部と、を備え、
前記開閉部が前記排気部に対して、周方向に自在に位置調整できるように構成される位置調整部を備えることを特徴とする逆流防止ダンパーを提供する。
よって下流側の排気ダクトの最初の曲がり後の管路方向に開閉部を位置調整することができ、排気の状態を妨げることがなくて良い。
また、どのような状態であっても、下流側の排気ダクトの最初の曲がり後の管路方向に開閉部を位置調整することができ、排気の状態を妨げることがなくてさらに良い。
上記目的を達成するため本発明によれば、前記開閉部の開閉方向を示す表示部があることを特徴とする。
よって、排気ダクトと接続した後でも外側から開閉部の周方向の位置を調整することができ、施工上都合が良い。
上記目的を達成するため本発明によれば、それら逆流防止ダンパーを、レンジフードの排気部に備えることを特徴とするレンジフードを提供する。
よってどのような状態であっても、下流側の排気ダクトの最初の曲がり後の管路方向に開閉部を位置調整することができ、排気の状態を妨げることがないレンジフードを提供することができる。
【発明の効果】
【０００９】
本発明は、上記課題を解決するためになされたもので、本発明の効果は、逆流防止ダンパー下流側にある排気ダクトの最初の曲がり管路方向に依らず、逆流防止ダンパーのフラップの向きを適切に設置出来る逆流防止ダンパー及びレンジフードを提供することである。
【図面の簡単な説明】
【００１０】
【図１】レンジフードと逆流防止用ダンパーの接続状態を示す図である。
【図２】本発明のフラップ部が閉じた状態を示す図である。
【図３】本発明のレンジフードの逆流防止用ダンパーを示す図である。
【図４】本発明の取り付けベースとフラップ取り付け部の取り付け例を示す断面図である。
【図５】本発明の図１の排気ダクトの向きが違う場合の例を示す図である。
【図６】本発明のレンジフードの逆流防止ダンパーの第二実施例を示す断面図である。
【図７】本発明のレンジフードの逆流防止ダンパーの第三実施例を示す断面図である。
【発明を実施するための形態】
【実施例】
【００１１】
本発明のレンジフードの第一実施例について図１〜５を参照して説明する。
図１はレンジフード１への逆流防止用ダンパー５の取り付け状態を表す。
図２は逆流防止ダンパーに備えられた開閉部であるフラップ６が閉じた状態を表す。
ここで言うレンジフード１とはフード本体２およびケーシング３から構成されているものであり、本実施例ではケーシング２にＬ型ダクト３を備えた場合の実施例である。
ケーシング３とは図示していない排気用のファンを内蔵した箱形状である。
レンジフード１が排気動作をしていない状態の場合、逆流防止ダンパーに備えられたフラップ６は閉じた状態となる。その際に排気ダクト１１からの虫の侵入防止や外風の逆流防止などの効果が期待出来る。
【００１２】
レンジフードの管路構成について図１を使って説明する。
レンジフード１の底面は図示しないが吸気部Ａを備えており、調理の際に生ずる熱気、油煙等を含んだ室内の空気をケーシング３内にある図示しない排気用のファンによってケーシング３内に取り込み、逆流防止用ダンパー５から排気ダクト１１を通りＢ方向に排出されると言うものであり、主に換気の役割を果たしている。
【００１３】
逆流防止用ダンパー５について図３および図４を使って説明する。
図４は断面図となっており、本図では対称であるため、断面の半分のみ図示している。
図３は逆流防止ダンパー５の第一実施例であり、取り付け部である取り付けベース８、シール材１０、フラップ取り付け部９、、フラップ６から構成されており、取り付けベース８には図３および図４で図示しているように弾性材１０が全周にわたって取り付けられている。その弾性材１０の上からフラップ取り付け部９を差し込むような形になり、この位置調整部である勘合部１４が３６０°回動することにより、フラップ６の開き方向が周方向に自在に位置合わせが可能となる。
従来のフラップ６の開き方向が０°、９０°、１８０°、２７０°と言う取り付け角度に限定されると言う問題点が解消され、予め決まっている排気ダクト１１の管路方向に、逆流防止ダンパー５よりも下流側に配置される排気ダクト１１の最初の曲がり後の管路方向に向かって開くべき逆流防止ダンパー５に備えられているフラップ６を、勘合部１４を回動させることにより、最初の曲がり後の管路方向に向かって開く事の出来る理想的なフラップ６の開き方向が実現できる。
すなわちレンジフード１が排気ダクト１１に向かって室内からの空気を排気する際、逆流防止ダンパー５よりも下流の排気ダクト１１の最初の曲がり後の管路方向に向かって開くべき逆流防止ダンパー５に備えられているフラップ６が、排気ダクト１１の最初の曲がり後の管路方向に向かって開く事が出来ない場合に、フラップ６が排気の抵抗となってしまい、風量が落ちてしまったり、異音が出るなどの不具合が解消できる。
【００１４】
図３、図４を用い、フラップ６の取り付け構造を説明すると、排気ダクト１１が接続される円筒状のフラップ取り付け部９の排気部分に当たる口に設けられた図示していない軸部が設けられている。なお軸はフラップ６に設けられた軸受けに差し込まれている。この軸に基づいて蓋状のフラップ６が排気ダクト１１に対して開閉する構造である。
ここで言うフラップの開き方向とは、軸部に固定された蓋状の円形であるフラップ６の軸に対して、面積の大きい側の開口部の開き方向として表している。
フラップ６は軸に基づいて開くため、軸に対してフラップの開口面積の大きい側でかつ、軸に対して垂直な方向を最適な排気方向とみなすためである。
【００１５】
弾性材１０は取り付けベース８とフラップ取り付け部９の隙間を無くすため、取り付けベース８部に取り付けられ、取り付けベース８とフラップ取り付け部９とのシール材の役割とともに、完全に固定せず弾性材１０を挟み込むような形で適度な圧力で保持されるため、排気漏れの無い状態であるにも関わらず、手動で勘合部１４を回動させられると言う役割を果たしている。
ここで言う弾性材１０とは、EPDMゴム等で出来ているエプトシーラやノルプレン等のようなシーリング材を指し、排気漏れを防ぐとともに、取り付けベース８とフラップ取り付け部９の支持機能を有する。
【００１６】
これによりフラップ取り付け部９を取り付けベース８とケーシング３を固定してしまった後でも手動で回動させ、逆流防止ダンパーの角度を０°、９０°、１８０°、２７０°と言う取り付け角度に限定されず、無段階にどの取り付け方向にも合わせる事が出来るようになる。
フラップ取り付け部９には表示部としての開口側目印１６が備えられているため、フラップ６の開き方向がフラップ６が目視出来ない状態に於いても確認が出来る。この開口側目印１６を、排気ダクト１１の最初の曲がり後の管路方向に向かって合わせる事により理想的なフラップ６の開き方向が実現でき、また、開口側目印１６により誤ったフラップの向きのまま取り付けてしまったりなどの取り付けミスも防げる。
また、リフォームの際などに排気ダクト１１の位置や向きが変更出来ない場合に於いても同様に、その位置や向きに合わせ、勘合部１４を回動させて逆流防止ダンパー５よりも下流の排気ダクト１１の最初の曲がり後の管路方向に合わせて、逆流防止ダンパー５に備えられているフラップ６が、管路方向に向かって開く事の出来る理想的なフラップ６の開き方向が実現できる。その説明について図５を使い説明する。
【００１７】
図５は第一実施例とは別の現場事例を表し、排気ダクト１１の逆流防止ダンパーの下流側の最初の曲がり後の管路方向が違う場合を想定した実施例である。
図５で図示している排気ダクト１１の管路方向は、排気方向であるＧに向かっている。
本発明のレンジフードに於いてはフラップ６の開き方向を無段階にどの管路方向にも合わせる事が出来るようになるため、図５のような排気ダクト１１の向きのケースに於いて管路方向Ｇに向かってフラップの開き方向を向かせることにより、理想的なフラップ６の開き方向が実現できる。
【００１８】
すなわちこれまで限られていた逆流防止ダンパー５に備えられているフラップ６の開き方向が、勘合部１４を回動することによって、下流に位置する最初の曲がり後の管路方向に向かってフラップが開く事ができ、実施例である管路方向Ｂ方向やＧ方向などに向かって排気ダクトの向きが現場ごとに異なっていても、それぞれに適したフラップ６の開き方向に合わせる事が出来る。
【００１９】
図６は逆流防止用ダンパーの第二実施例である。
図６は断面図となっており、本図では対称であるため、断面の半分のみ図示している。
取り付けベース８にフラップ取り付け部９に勘合する溝部１２を設け、フラップ取り付け部９先端には爪部１３が設けられている。この爪部１３を溝部１２にはめ込む事により、フラップ６の開き方向が自在に位置合わせが可能となる。
また、この溝部は図示していないが２０度おきに配設されているため、溝部の配列角度おきに位置合わせが可能となる。
【００２０】
図７は逆流防止用ダンパーの第三実施例である。
図７は断面図となっており、本図では対称であるため、断面の半分のみ図示している。
第一実施例の弾性材１０が取り付けベース８の外側にある場合を表している。
本実施例においても、第１実施例と同様に勘合部を集方向に無段階に位置を調整することができ、最適な排気状態を実現することができる。
【符号の説明】
【００２１】
１…レンジフード
２…フード本体
３…ケーシング
４…Ｌ型ダクト
５…逆流防止用ダンパー
６…フラップ
７…ねじ固定位置
８…取り付けベース
９…フラップ取り付け部
１０…弾性材
１１…排気ダクト
１２…溝部
１３…爪部
１４…勘合部
１５…レンジフード排気部
１６…開口側目印
【図１】
0005605762.tif 000002
【図２】
0005605762.tif 000003
【図３】
0005605762.tif 000004
【図４】
0005605762.tif 000005
【図５】
0005605762.tif 000006
【図６】
0005605762.tif 000007
【図７】
0005605762.tif 000008